(57)【要約】【課題】ネジのヘッド部の損壊された溝に対する齧り力および嵌合効果は向上し、ヘッド部の溝が損壊されたネジをワークから取り出することは容易になるドリルを提供する。【解決手段】一つの頂端と縦方向に沿った二つの溝とを有し、各溝は左回りの削り面と右回りの境界面とから構成され、削り面は窪んだ円弧形状を呈し、削り面の頂縁は直線状の鋭い削り縁であり、削り縁とドリルの軸線との成す角度は３５から８０度程度であり、境界面の頂端は直線状の境界縁であり、境界縁と前記削り縁はほぼ互いに垂直し、頂端の周面には縦方向に沿った仕切面が二つ設けてあり、仕切面が境界面と連続し、仕切面の頂縁には仕切縁が形成され、仕切縁と境界縁と削り縁とドリルの周縁とから四辺形状の逃げ面が形成され、二つの逃げ面はドリルの軸心を中心として互いに対称となる。【選択図】図１
0003124429.tif 000002
【実用新案登録請求の範囲】
【請求項１】
一つの頂端と、縦方向に沿った二つの溝とを有し、前記各溝は、左回りの削り面と、右回りの境界面とから構成され、前記削り面は窪んだ円弧形状を呈し、前記削り面の頂縁は直線状の鋭い削り縁であり、前記削り縁と、ドリルの軸線との成す角度は３５から８０度程度であり、前記境界面の頂端は直線状の境界縁であり、前記境界縁と前記削り縁はほぼ互いに垂直し、前記頂端の周面には縦方向に沿った仕切面が二つ設けてあり、前記仕切面が前記境界面と連続し、前記仕切面の頂縁には仕切縁が形成され、前記仕切縁と、前記境界縁と、削り縁と、ドリルの周縁とから四辺形状の逃げ面が形成され、前記二つの逃げ面はドリルの軸心を中心として互いに対称し、且つ前記仕切縁および前記境界縁と、ドリルの軸線との成す角度は、前記削り縁と、ドリルの軸線との成す角度よりも小さいことを特徴とする、ドリル。
【考案の詳細な説明】
【技術分野】
【０００１】
本考案は、端部が損壊したネジをワークから取り出すためのドリルに係り、特に、端部が損壊したネジに嵌合して前記ネジを回転することが可能になるドリルに関するものである。
【背景技術】
【０００２】
一般には、ネジのヘッド部に十字形状または一字形状の溝が設けられ、しかし、ネジのヘッド部の溝がある原因で損壊されたと、一般のドライバによってネジを回転することはできなくなり、だから、図５乃至図７に示すように、ヘッド部の溝が損壊されたネジを回転するドリル６０が提案され（米国特許第6,595,730号）、このドリル６０は、エアー駆動工具または電動工具と接続するために、一端が六角断面形状を持ち、他端の端面には縦方向に沿った溝６１が二つ設けてあり、前記溝６１は、一つの削り面６２と、一つの境界面６３とから構成され、前記削り面６２の頂縁には削り縁６２１が形成され、前記境界面６３の頂縁には境界縁６３１が形成され、前記境界縁６３１と前記削り縁６２１との間には円錐形状の逃げ面６４が形成され、ネジ９０の溝９１が損壊されたヘッド部にドリル６０にある削り縁６２１を嵌合して左回ると、ネジ９０ワークからを取り出すことができる。しかしながら、これは次のような欠点があった。
【０００３】
（イ）逃げ面６４は扇形輪郭の円錐であり、逃げ面６４の外縁に近づくほど、削り縁６２１と境界縁６３１との間の距離は大きくなり、だから、ドリル６０と溝９１の嵌合深さが制限され、これにより、削り縁６２１と溝９１の握り面積は小さく、ネジ９０に梃子効果による力を完全に加えることができない。
【０００４】
（ロ）ドリル６０によってネジ９０を取り出すときには、溝９１が全面的に損壊され円錐形状の窪みになった場合には、ドリル６０の前記逃げ面６４が止められてネジ９０を取り出すことができなく、なお、溝９１の頂面が損壊され円錐形状の窪みになり、そして溝９１の底面が本来の形に保持される場合には、ドリル６０が溝９１の頂面からもっと下げることができないので、ネジ９０を取り出すことができない。
【０００５】
上記欠点を解決するために、図８と図９に示す米国特許第7,000,501号が提案され、これは、主に、ドリル７０が頂端７２を有し、前記頂端７２の周面には縦方向に沿った溝７３が二つ設けてあり、前記各溝７３は、左回りの削り面７４と、右回りの境界面７５とから構成され、前記境界面７５と前記削り面７４の成し角度は９０度であり、前記削り面７４の頂縁は直線状の削り縁７４１であり、削り縁７４１と、ドリル７０の軸線との成し角度は３５度〜８０度程度であり、前記境界面７５の頂縁は直線状の境界縁７５１であり、前記境界縁７５１と前記削り縁７４１はほぼ互いに垂直し、前記頂端７２の周面には縦方向に沿った仕切面７６が設けてあり、前記仕切面７６が前記境界面７５と連続し、前記仕切面７６の頂縁には仕切縁７６１が形成され、前記仕切縁７６１と、前記境界縁７５１と、前記削り縁７４１と、ドリル７０の周縁とから四辺形状の逃げ面８０が形成され、前記二つの逃げ面８０はドリル７０の軸心を中心として互いに対称し、且つ前記仕切縁７６１および前記境界縁７５１と、ドリル７０の軸線との成す角度は、前記削り縁７４１と、ドリル７０の軸線との成す角度よりも小さい。
【０００６】
だから、図８と図９に示すドリルは、逃げ面８０が変化され、そして削り縁７４１と、ドリル７０の軸線との成し角度が３５度よりも大きいので、仕切縁７６１及び境界縁７５１と、ドリル７０の軸線との成し角度が縮小になり、これにより、二つの削り縁７４１の成し角度が小さくなり、ひいては頂端７２がもっと鋭くなり、そうすると、図６と図７に示すドリルよりも、ネジのヘッド部の溝の頂面からもっと下げることができ、すなわち、両者の嵌合面積は増加し、ドリルのネジに対する回転力は大きくなる。
【０００７】
しかしながら、ドリル７０の削り面７４は平面形状であるので、削り縁７４１は鋭くない、溝の頂面が損壊されたときには、前記削り縁７４１は溝の底面を有効に齧ることができなく、だから、ネジを取り出すことは依然として難しい。
【考案の開示】
【考案が解決しようとする課題】
【０００８】
本考案の主な目的は、ネジのヘッド部の損壊された溝に対する齧り力および嵌合効果が向上になり、ヘッド部の溝が損壊されたネジをワークから取り出することが容易になるドリルを提供する。
【課題を解決するための手段】
【０００９】
上記目的を達成するためになされた本願の考案は、一つの頂端と、縦方向に沿った二つの溝とを有し、前記各溝は、左回りの削り面と、右回りの境界面とから構成され、前記削り面は窪んだ円弧形状を呈し、前記削り面の頂縁は直線状の鋭い削り縁であり、前記削り縁と、ドリルの軸線との成す角度は３５から８０度程度であり、前記境界面の頂端は直線状の境界縁であり、前記境界縁と前記削り縁はほぼ互いに垂直し、前記頂端の周面には縦方向に沿った仕切面が二つ設けてあり、前記仕切面が前記境界面と連続し、前記仕切面の頂縁には仕切縁が形成され、前記仕切縁と、前記境界縁と、削り縁と、ドリルの周縁とから四辺形状の逃げ面が形成され、前記二つの逃げ面はドリルの軸心を中心として互いに対称し、且つ前記仕切縁および前記境界縁と、ドリルの軸線との成す角度は、前記削り縁と、ドリルの軸線との成す角度よりも小さいことを特徴とするドリルであることを要旨としている。
【考案の効果】
【００１０】
本考案に係るドリルによれば、ネジのヘッド部の損壊された溝に対する齧り力および嵌合効果は向上になり、ヘッド部の溝が損壊されたネジをワークから取り出することは容易になる。
【考案を実施するための最良の形態】
【００１１】
以下、添付図面を参照して本考案の好適な実施の形態を詳細に説明する。
【００１２】
本考案に係るドリル７００は、図８と図９に示すドリルを改善したものであり、主に、一つの頂端７２と、縦方向に沿った二つの溝７３とを有し、前記各溝７３は、左回りの削り面１０と、右回りの境界面７５とから構成され、前記削り面１０と、前記境界面７５との成し角度は９０度であり、前記削り面１０の頂縁は直線状の鋭い削り縁１１であり、前記削り縁１１と、ドリル７００の軸線との成す角度は３５から８０度程度であり、前記境界面７５の頂端は直線状の境界縁７５１であり、前記境界縁７５１と前記削り縁１１はほぼ互いに垂直し、前記頂端７２の周面には縦方向に沿った仕切面７６が二つ設けてあり、前記仕切面７６が前記境界面７５と連続し、前記仕切面７６の頂縁には仕切縁７６１が形成され、前記仕切縁７６１と、前記境界縁７５１と、削り縁１１と、ドリル７００の周縁とから四辺形状の逃げ面８０が形成され、前記二つの逃げ面８０はドリル７００の軸心を中心として互いに対称し、且つ前記仕切縁７６１および前記境界縁７５１と、ドリル７００の軸線との成す角度は、前記削り縁１１と、ドリル７００の軸線との成す角度よりも小さい。
【００１３】
本考案の長所は、図１と図２に示すように、削り面１０が窪んだ円弧形状を呈し、だから、削り縁１１がもっと鋭くなる。
【００１４】
このように、図１と図３と図４に示すように、ヘッド部の溝９１が損壊されたネジ９０をワークから取り出そうとする場合には、削り面１０が窪んだ円弧形状を呈することにより、削り縁１１がもっと鋭いカッター形態になり、だから、削り縁１１は溝９１の内壁面を齧ることが容易になり、且つ頂端７２と溝９１との嵌合面積が増加になり、これにより、ネジ９０をワークから取り出すことは容易になる。
【００１５】
また、溝９１の頂面が損壊され円錐形状の窪みになり、そして溝９１の底面が本来の形に保持される場合であっても、削り面１０が窪んだ円弧形状を呈することにより、削り縁１１がもっと鋭いカッター形態になり、だから、ドリル６０は溝９１の内壁面に齧り込むことができ、これにより、ネジ９０をワークから取り出すことが容易になる。
【図面の簡単な説明】
【００１６】
【図１】本考案の斜視概略図である。
【図２】本考案の端部から見た平面図である。
【図３】本考案と、損壊されたネジとの配置関係を示す斜視図である。
【図４】本考案と損壊されたネジとの配置関係の端部から見た平面図である。
【図５】従来のドリルの斜視図である。
【図６】従来のドリルと、損壊されたネジとの配置関係を示す側面図である。
【図７】従来のドリルと、損壊されたネジとの配置関係の端部から見た平面図である。
【図８】別の従来のドリルの斜視図である。
【図９】別の従来のドリルと、損壊されたネジとの配置関係の端部から見た平面図である。
【符号の説明】
【００１７】
１０      削り面
１１      削り縁
６０，７０，７００    ドリル
６１，７３            溝
６２      削り面
６２１    削り縁
６３，７５            境界面
６３１，７５１        境界縁
６４，８０            逃げ面
７２      頂端
７６      仕切面
７６１    仕切縁
９０      ネジ
９１      溝
【図１】
0003124429.tif 000003
【図２】
0003124429.tif 000004
【図３】
0003124429.tif 000005
【図４】
0003124429.tif 000006
【図５】
0003124429.tif 000007
【図６】
0003124429.tif 000008
【図７】
0003124429.tif 000009
【図８】
0003124429.tif 000010
【図９】
0003124429.tif 000011